(57)【要約】【課題】  注出口の開口にあたって、指かけリングを介して最初に切断溝の僅かな部分を切断して、空気を導入し、液面の揺れによる注出口からの液の飛び跳ねを防ぎ、その後に、全ての切断溝を切断して注出口の開口を段階的に形成するようにした容器の注出筒、該注出筒を備えたヒンジキャップ、または中栓を提供すること。【解決手段】  注出口を開口する切断溝を刻設した除去部に、指かけリングを立設した底壁を具備した注出筒を備えた容器のキャップであって、除去部が、注出主部と指かけリングを立設した突出部とからなり、注出主部の切断溝と突出部の切断溝との接続部において、切断溝が段階的に切断されるようになっていることを特徴とする。【選択図】  図１
2005212875.tif 000002
【特許請求の範囲】
【請求項１】
注出口を開口する切断溝を刻設した除去部に、指かけリングを立設した底壁を具備した注出筒を備えた容器のキャップであって、
除去部が、注出主部と指かけリングを立設した突出部とからなり、
注出主部の切断溝と突出部の切断溝との接続部において、切断溝が段階的に切断されるようになっていることを特徴とする高温充填用容器のキャップ。
【請求項２】
注出主部の切断溝と突出部の切断溝との接続部において、
注出主部の切断溝が、接続部から外方に指掛けリングの引張り方向とは逆方向に対して、鋭角の方向に延びていることを特徴とする請求項１記載の高温充填用容器のキャップ。
【請求項３】
突出部が、一つの角部を先端とし角部を円弧とした五角形状に形成され、注出主部の切断溝と突出部の切断溝との接続部において、双方の切断溝が鋭角をもって交差するようにしたことを特徴とする請求項１記載の高温充填用容器のキャップ。
【請求項４】
突出部の切断溝と注出主部の切断溝が接続部において、双方の切断溝がほぼ直角以下の角度で交差していることを特徴とする請求項１記載の高温充填用容器のキャップ。
【請求項５】
突出部の切断溝と注出主部の切断溝との接続部に、間欠部を設けたことを特徴とする請求項１記載の高温充填用容器のキャップ。
【請求項６】
突出部の切断溝と注出主部の切断溝との接続部に、浅溝の切断部を設けたことを特徴とする請求項１記載の高温充填用容器の注出筒のキャップ。
【請求項７】
除去部の突出部の反対側に、切断溝が直線状に交わって尖端部が形成されていることを特徴とする請求項１〜６記載の高温充填用容器のキャップ。
【請求項８】
キャップが、注出筒をキャップ本体に設けたヒンジキャップであることを特徴とする請求項１〜７に記載の高温充填用容器のキャップ。
【請求項９】
キャップが、注出筒を設けた中栓に被嵌されたキャップであることを特徴とする請求項１〜７に記載の高温充填用容器のキャップ。
【発明の詳細な説明】
【技術分野】
【０００１】
本発明は、容器の注出筒、とくに注出口の切断溝を段階的に切断して注出口を開口するようにしたキャップ、または中栓の注出筒に関するものである。
【背景技術】
【０００２】
食用液などを収納する容器に、内容物を高温充填し、容器口筒部にキャップ基体に注出筒を設けたキャップを被嵌する容器は従来より知られている（例えば、特許文献１）。
【特許文献１】特開２００３−１０４４１７号公報
【０００３】
従来の容器は注出口の開口にあたって、指かけリングを引張り上げ、切断溝を切断し、注出口を形成するようにしており、切断を容易にするため指かけリングの取付部から引張り方向に連続するように切断溝が刻設され、切断溝の切断は最初から最後まで、一定の引張り力で切断できるようになっている。
【発明の開示】
【発明が解決しようとする課題】
【０００４】
しかしながら、内容液を高温充填した場合、キャップの被嵌後に、上方から温水シャワー、冷却シャワーを注いで内容液を冷却するので、容器内が著しく減圧状態となり、また、容器胴壁の減圧吸収によって入味線が上昇する。
注出口の切断ラインを切断したときに、減圧された容器内に大気が入り、ヘッドスペースの変化によって入味線の下降とともに液面が揺れて、開口した注出口より液が飛び跳ね、場合によっては、液が注出筒から外に出るという問題があった。
【０００５】
本発明は、上記の問題を解決することを課題とし、注出口の開口にあたって、指かけリングを介して最初に切断溝の僅かな部分を切断して、空気を導入し、液面の揺れによる注出口からの液の飛び跳ねを防ぎ、その後に、全ての切断溝を切断して注出口の開口を段階的に形成するようにした容器の注出筒、該注出筒を備えたヒンジキャップ、または中栓を提供することを目的とする。
【課題を解決するための手段】
【０００６】
本発明は、上記の課題を解決するため、高温充填用容器のキャップとして、注出口を開口する切断溝を刻設した除去部に、指かけリングを立設した底壁を具備した注出筒を備えた容器のキャップであって、除去部が、注出主部と指かけリングを立設した突出部とからなり、注出主部の切断溝と突出部の切断溝との接続部において、切断溝が段階的に切断されるようになっていることを特徴とする構成を採用する。
【０００７】
接続部の一つの実施例として、注出主部の切断溝と突出部の切断溝との接続部において、注出主部の切断溝が、接続部から外方に指掛けリングの引張り方向とは逆方向に対して、鋭角の方向に延びていることを特徴とする構成を採用する。
【０００８】
接続部の別実施例として、突出部が、一つの角部を先端とし角部を円弧とした五角形状に形成され、注出主部の切断溝と突出部の切断溝との接続部において、双方の切断溝が鋭角をもって交差するようにしたことを特徴とする構成を採用する。
【０００９】
また、接続部の別実施例として、突出部の切断溝と注出主部の切断溝が接続部において、双方の切断溝がほぼ直角以下の角度で交差していることを特徴とする構成を採用する。
【００１０】
さらに、接続部の別実施例として、突出部の切断溝と注出主部の切断溝との接続部に、間欠部を設けたことを特徴とする構成、または、突出部の切断溝と注出主部の切断溝との接続部に、浅溝の切断部を設けたことを特徴とする構成を採用する。
【００１１】
容器の注出口の実施例として、除去部の突出部の反対側に、切断溝が直線状に交わって尖端部が形成されていることを特徴とする構成を採用する。
【００１２】
容器のキャップとして、キャップが、注出筒をキャップ本体に設けたヒンジキャップであることを特徴とする構成、または、キャップが、注出筒を設けた中栓に被嵌されたキャップであることを特徴とする構成を採用する。
【発明の効果】
【００１３】
容器の注出口の開口にあたって、指かけリングを介して段階的に切断溝を切断できるので、最初に切断溝の僅かな部分を切断して、容器内に空気が入ることにより、容器内の液面の揺れによる液の飛び跳ねを防ぐことができる。
【発明を実施するための最良の形態】
【００１４】
次に、本発明の容器の注出筒について実施例をあげ、図面を参照して説明する。  
【実施例１】
【００１５】
図１、２において、Ａは容器、Ｂは容器Ａに取着するキャップである。
容器Ａは、合成樹脂により成形された容器であり、容器Ａの口筒部１上端外周には、嵌合突条２が形成されている。
【００１６】
キャップＢは、キャップ本体３と、キャップ本体３に連結されたリング体４と、リング体４の上端部にヒンジ５を介して連設された開閉蓋６とからなっている。
【００１７】
キャップ本体３は、容器Ａの口筒部１外周に嵌合する外筒７と、外筒７の上端に設けられた内鍔リング状の頂壁８とを備えており、頂壁８の内周には、上方に拡径した注出筒９が立設され、注出筒９の下端には、注出口が開口される底壁１０が連設されている。
頂壁８の上面には注出筒９を囲んで、閉蓋時に開閉蓋６を係止する係止筒１１が立設され、さらに頂壁８の下面には、容器Ａの口筒部１内周に嵌合する内筒１２が垂設されている。
【００１８】
図１、３に示すように、外筒７の内側下端部には、キャップＢを容器Ａに打栓した際に、嵌合突条２と嵌合する係止突条１３が突設されており、該係止突条１３には、複数の切欠部１４が配設されている。
【００１９】
前記外筒７の外周下端部には、キャップ本体３とリング体４を連結する連結部１５がヒンジ５の反対側下端部に配設され、他の外周下端部には、破断可能な薄肉の弱化部１６が配設されている。
【００２０】
図３に示すように、底壁１０には、内容液の注出口となる除去部１７を形成するため、一定形状の切断溝１８が刻設されている。
除去部１７の形状は、図３に示すように、線Ｘ−Ｙに対称となっており、円周の所定角度の円弧部と円弧部端から延び、内方に屈曲した弦部とからなる截円形の注出主部１７ａと、該注出主部１７ａの弦部から突出し、指かけリングの取付部である突出部１７ｂとからなっている。
【００２１】
注出主部１７ａと突出部１７ｂの切断溝１８の接続部は、注出主部１７ａの円弧部からＸ方向に偏奇して延びる直線状の切断溝１８ａと、該切断溝１８ａに接続し、Ｙ方向に偏奇するように延びる突出部１７ｂの円弧状の切断溝１８ｂとからなっており、その角度Ｒは、ほぼ１２０°以下である。
また、注出主部１７ａの突出部１７ｂの反対側では、切断溝１８が直線的に交わり、尖端部１９が形成されている。
【００２２】
前記除去部１７の上面には、前記突出部１７ｂに立設した連結片２０を介して指かけリング２１が設けられている。
該指かけリング２１に指をかけて上方に引張り上げると、切断溝１８が切断され、除去部１７が切り取られて、内容液の注出口が形成されるようになっている。
【００２３】
図１、２に示すように、開閉蓋６は、頂壁２２と側壁２３とからなり、頂壁２２の裏面中央部には、前記注出筒９内面に嵌合し、その口唇部を密封する密封リング２４が設けられている。
側壁２３は、頂壁２２の反対側の内周に、前記キャップ本体３の係止筒１１に嵌着される膨出部２５が配設されており、ヒンジ５の反対側の外周には、つまみ２６が配設されている。
【００２４】
次に、本実施例の容器の使用態様と作用効果について説明する。
本容器Ａには、内容液の種類に応じて、少なくとも６０°Ｃ以上に加熱殺菌された内容液が充填される。
高温充填にあたって、内容液の充填後にキャップＢが、打栓により、容器Ａの口筒部１に嵌着され、その後に比較的高温の温水が注がれ、順次低温の温水、常温の冷却水が注がれ、内容液が冷却される。
【００２５】
打栓時には、キャップ本体３の内筒１２が、口筒部１内周に嵌合して容器Ａ内部を密封し、外筒７の係止突条１３が、嵌合突条２の下側に嵌合して、キャップ本体３を口筒部１に嵌着する。
【００２６】
容器の開封にあたっては、つまみ２６を持って開閉蓋６を開蓋し、まず、キャップ本体３の注出筒９内の指かけリング２１に指をかけて上方に引張り上げ、底壁１０より除去部１７を切断し開口する。
【００２７】
その際、指かけリング２１は、底壁１０の除去部１７の突出部１７ｂに連結されているので、指かけリング２１を引張ったときには、上方への引き上げ力とともに、Ｘ方向への張力がかかり、切断溝１８は、突出部１７ｂ側より切断される。
【００２８】
突出部１７ｂの切断溝１８ｂと注出主部１７ａの切断溝１８ａとの接続部では、切断溝１８ａがＹ方向と鋭角をなす方向に延びており、かつ、双方の切断溝１８ａ、１８ｂのなす角度Ｒがほぼ１２０°以下であるため、続けて切断していくためには、切断力のかかる方向を変えなければならず、突出部１７ｂ周囲の切断溝１８ｂが切断されたところで開口が一旦止められることになる。
【００２９】
このことにより、容器内に空気が入り、内容液の液面が揺れるが、切断した孔が小さいため、従来例のように、指かけリングを引張って注出口を開口する際に、容器内に一時に大量の空気が入り、そのため内容液の液面が揺れ、液が完全に開かれた注出口より飛び出るということがなくなった。
【００３０】
次に、図３に示したＸ方向上方にさらに力を加えて引張り上げ、注出主部１７ａの円弧部の切断溝１８ａを切断し、注出口を開口する。
【００３１】
その際、尖端部１９では切断溝１８が直線的に交わっているので、切断溝１８は、尖端部１９の両側から切断される。そのため除去部１７切取り時の引張り力は、従来のものと比較して少なくてよい。
また、液注出にあたっては、内容液は、主に注出主部１７ａから注出され、その流れは、尖端部１９に案内され、円滑に流れるようになっている。
【００３２】
液注出後、開閉蓋６を閉じると、密封リング２４が注出筒９内周に嵌合され、容器Ａ内が密閉される。
【００３３】
本容器の内容液を全て使用し、廃棄の際には、開閉蓋６を上方に強い力で持ち上げることにより、キャップ本体３とリング体４を連結する弱化部１６が切断され、ヒンジ側のリング体４が引上げられ、次いで、連結部１５が引き上げられることにより、容器Ａの嵌合突条２とキャップ本体３の係止突条１３との嵌合が外れ、簡単に容器ＡとキャップＢが分別できる。
【実施例２】
【００３４】
次に、キャップの底壁に設けられた除去部の注出主部と突出部との接合部における切断溝の角度が、鋭角の実施例について説明する。
【００３５】
キャップの底壁に設けられた除去部以外、実施例１と同一であるので、同一の部分については説明を省略する。
【００３６】
図４に示すように、底壁３０には、内容液の注出口となる除去部３１を形成するため、一定形状の切断溝３２が刻設されている。
【００３７】
除去部３１の形状は、図４に示すように、線Ｘ−Ｙに対称となっていて、円周の所定角度の円弧部と、円弧部に続く外方に屈曲した弦部とからなる截円形の注出主部３１ａと、該注出主部３１ａの弦部から突出し、角部を円弧とした正五角形に近似する形状で、頂角を先端とした突出部３１ｂとからなっている。
その接合部では、切断溝３２ａ、３２ｂは内方に延びて交差し、その角度Ｒａは鋭角となっている。
また、注出主部３１ａの突出部３１ｂの反対側には、尖端部３３が形成されている。
【００３８】
次に、本実施例の容器の作用効果について説明する。
容器の注出口の開口にあたっては、指かけリングに指をかけて上方に引張り上げ、底壁３０より除去部３１を切断し、注出口を開口する。
【００３９】
その際、指かけリングは底壁３０の除去部３１の突出部３１ｂに連結されているので、指かけリングを引張ったときには、Ｘ方向への分力がかかり、切断溝３２は、突出部３１ｂ側より切断される。
【００４０】
突出部３１ｂの切断溝３２ｂと注出主部３１ａの切断溝３２ａとの接続部の角度Ｒａが鋭角となっており、切断溝３２ｂを切断した後、切断溝３２ａを切断するためには切断方向が変わるので、より大きな引上げ力必要となり、突出部３１ｂが切断されたところで、開口が一時的に止まる。
このことにより、容器内に空気が入り、内容液の液面が揺れても、切断した孔が小さいため、、液が注出口より飛び出るということがなくなった。
【００４１】
次に、図４に示したＸ方向上方にさらに力を加え、注出主部３１ａの切断溝３２ａを切断し、さらに切断溝３２の円弧部を切断させ、注出口を開口することができる。
キャップの底壁３０に設けられた除去部３１の形状の他は、実施例１と同一であるので、その他の点では実施例１と同様の作用効果が得られる。
【実施例３】
【００４２】
次に、注出筒の底壁に設けられた除去部の注出主部と突出部との接合部における切断溝の角度を、９０°前後とした実施例について説明する。
【００４３】
キャップの底壁に設けられた除去部以外、実施例１と同一であるので、同一の部分については説明を省略する。
【００４４】
図５に示すように、底壁４０には、内容液の注出口となる除去部４１を形成するため、一定形状の切断溝４２が刻設されている。
除去部４１の形状は図５に示すように、線Ｘ−Ｙに対称となっていて、円周の所定角度を円弧と、ほぼ直線に近い弦部を有する截円形の注出主部４１ａと、該注出主部４１ａの弦部から突出し、ほぼ五角形状に形成された突出部４１ｂとからなっており、その接合部の切断溝４２ａ、４２ｂの角度Ｒｂは、概ね９０°である。
また、注出主部４１ａの突出部４１ｂの反対側には、尖端部４３が形成されている。
【００４５】
次に、本実施例の容器の作用効果について説明する。
注出口の開口にあたっては、指かけリングに指をかけて上方に引張り上げ、底壁４０より除去部４１を切断し、注出口を開口する。
【００４６】
その際、指かけリングは底壁４０の除去部４１の突出部４１ｂに連結されているので、上方への一定の力に対し、除去部４１の突出部４１ｂ側に力がかかり、切断溝４２は、突出部４１ｂ側より切断されていくが、突出部４１ｂの切断溝４２ｂと注出主部４１ａの切断溝４２ａとの角度Ｒｂが概ね９０°であるため、切断溝４２ｂを切断した後に、切断溝４２ａを切断するためにＸ方向に直交する方向に切断力を働かせなければならず、より大きな引張る力が必要となり、突出部４１ｂが切断されたところで、開口が一時的に止まる。
このことにより、容器内に空気が入り、内容液の液面が揺れるが、切断した孔が小さいため、液が飛び出るということがなくなった。
【００４７】
次に、図５に示したＸ方向上方にさらに力を加え、注出主部４１ａを切断させ、注出口を開口することができる。
キャップの底壁４０に設けられた除去部４１の形状の他は、実施例１と同一であるので、その他の点では実施例１と同様の作用効果が得られる。
【実施例４】
【００４８】
次に、キャップの底壁に設けられた除去部の注出主部と突出部との接合部において、切断溝の間欠部を設け、切断溝を２つに分けた実施例について説明する。
【００４９】
キャップの底壁に設けられた除去部以外、実施例１と同一であるので、同一の部分については説明を省略する。
【００５０】
図６に示すように、底壁５０には、内容液の注出口となる除去部５１を形成するため、一定形状の切断溝５２が刻設されている。
除去部５１の形状は、図６における線Ｘ−Ｙに対称となっていて、概ね円周の所定角度の円弧部と、外方に屈曲した弦部を有する截円形の注出主部５１ａと、該注出主部５１ａの弦部から突出し所定の曲線によって形成された突出部５１ｂとからなっており、除去部５１を形成するために切断溝５２が注出主部５１ａと突出部５１ｂとの接合部で２つの間欠部５３によって、注出主部５１ａ側の切断溝５２ａと、突出部５１ｂ側の切断溝５２ｂとに分けられている。
【００５１】
次に、本実施例の容器の作用効果について説明する。
注出口の開口にあたっては、指かけリングに指をかけて上方に引張り上げ、底壁５０より除去部５１を切断し、注出口を開口する。
【００５２】
その際、指かけリングは、底壁５０の除去部５１の突出部５１ｂに連結されているので、上方への一定の力に対し、除去部５１の突出部５１ｂ側に力がかかり、切断溝５２ｂ側が切断されていくが、間欠部５３があるため、突出部５１ｂが切断されたところで開口は一時的に止まる。
このことにより、容器内に空気が入り、内容液の液面が揺れるが、切断した孔が小さいため、内容液の液面が揺れ、液が注出口より飛び出るということがなくなった。
【００５３】
次に、図６に示したＸ方向上方にさらに指かけリングに力を加ると、間欠部５３が切断され、次いで、注出主部５１ａが切断されて、注出口が開口される。
キャップの底壁５０に設けられた除去部５１の形状の他は、実施例１と同一であるので、その他の点では実施例１と同様の作用効果が得られる。
【００５４】
上記実施例４では、切断溝の間欠部を設けたが、間欠部に代えて一定範囲の切断溝の深さを浅くし、肉厚を厚くするようにしてもよい。
前記各実施例では、除去部の形状について特定の形状について説明したが、切断溝が段階的に切断されるものであればよく、実施例に限定されない。
【００５５】
また、前記各実施例では、キャップとして、キャップ本体３に連結したリング体４にヒンジ５を介して開閉蓋６を取着したヒンジキャップについて説明したが、キャップは、例えば特許文献１に記載されているような、注出口を設けた中栓にねじキャップを被嵌したもの、或いは、中栓を嵌着した容器口筒部に螺着、または嵌合により被嵌させたキャップであってもよく、ヒンジキャップに限定されない。
【産業上の利用可能性】
【００５６】
内容物を高温充填する容器の注出口を開口する際、段階的に切断していくことにより、開口した部分が小さい初期の段階で、容器内に空気が入るようにしたので、内容液の液面が揺れ、液が注出口より飛び跳ね外に出ない。
また、高温充填用の容器だけでなく、炭酸飲料などの発泡型飲料の容器にも使用可能である。
【図面の簡単な説明】
【００５７】
【図１】本発明の第１実施例のヒンジキャップの断面立面図である。
【図２】ヒンジキャップの上面図である。
【図３】ヒンジキャップの底面図である。
【図４】第２実施例のヒンジキャップの底面図である。
【図５】第３実施例のヒンジキャップの底面図である。
【図６】第４実施例のヒンジキャップの底面図である。
【符号の説明】
【００５８】
Ａ          容器
Ｂ          キャップ
３          キャップ本体
４          リング体
５          ヒンジ
６          開閉蓋
７          外筒
８          頂壁
９          注出筒
１０、３０、４０、５０  底壁
１１        係止筒
１２        内筒
１７、３１、４１、５１  除去部
１７ａ、３１ａ、４１ａ、５１ａ  注出主部
１７ｂ、３１ｂ、４１ｂ、５１ｂ  突出部
１８ａ，ｂ、３２ａ，ｂ、４２ａ，ｂ、５２ａ，ｂ  切断溝
１９、３３、４３  尖端部
２０        連結片
２１        指かけリング
５３        間欠部
【図１】
2005212875.tif 000003
【図２】
2005212875.tif 000004
【図３】
2005212875.tif 000005
【図４】
2005212875.tif 000006
【図５】
2005212875.tif 000007
【図６】
2005212875.tif 000008